(57)【特許請求の範囲】
【請求項１】
２以上の画像を有する映像が映像酔いする映像であると判断するための条件である２以上の各映像判断条件が、映像酔いを低減する処理を示す低減処理情報に対応付けて格納される映像判断条件格納部と、
２以上の入力画像を取得する入力画像取得部と、
前記２以上の入力画像を用いて構成される映像である対象映像が映像酔いする映像であるか否かを、前記映像判断条件を用いて判断する映像判断部と、
前記映像判断部が、前記対象映像が映像酔いする映像であると判断した場合に、対象映像が有する２以上の各画像である対象画像に対して予め決められた映像酔いを低減する処理を施す画像処理部と、
前記対象画像または前記画像処理部が処理を施した対象画像を出力する画像出力部とを具備し、
前記画像処理部は、
前記映像判断部が、対象映像が映像酔いする映像であると判断した際に用いた映像判断条件に対応する低減処理情報を、前記映像判断条件格納部から選択する低減処理情報取得手段と、
前記対象映像が有する２以上の画像である対象画像に対して、前記低減処理情報取得手段が選択した低減処理情報が示す処理を施す画像処理手段とを具備する画像出力装置。
【請求項２】
２以上の画像を有する映像が、映像酔いする映像であると判断するための条件である２以上の映像判断条件が格納される映像判断条件格納部と、
２以上の入力画像を取得する入力画像取得部と、
前記２以上の入力画像を用いて構成される映像である対象映像が映像酔いする映像であるか否かを、前記映像判断条件を用いて判断する映像判断部と、
前記映像判断部が、前記対象映像が映像酔いする映像であると判断した場合に、対象映像が有する２以上の各画像である対象画像に対して予め決められた映像酔いを低減する処理を施す画像処理部と、
前記対象画像または前記画像処理部が処理を施した対象画像を出力する画像出力部とを具備し、
前記映像判断条件は、映像酔いする映像を検知する際のモードに関する検知モード条件を有し、
前記モードは、対象画像から取得できる情報により自動的に映像酔いする映像であるか否かを検知するモードである自動検知モード、またはユーザからの指示により映像酔いする映像であるか否かを検知するモードである手動検知モードを含み、
前記２以上の映像判断条件は、ユーザからの指示に関する条件であるユーザ指示条件を含み、
ユーザからの指示を受け付ける受付部をさらに具備し、
前記映像判断部は、
前記検知モード条件が手動検知モードであり、かつ前記受付部が受け付けた指示が、前記ユーザ指示条件に合致する場合に、前記対象映像が映像酔いする映像であると判断する判断手段を具備する画像出力装置。
【請求項３】
前記画像処理部は、
前記対象画像に対して、対象画像を縮小する縮小処理または対象画像の一部を切り出すトリミング処理のいずれかの処理を施す請求項１または請求項２記載の画像出力装置。
【請求項４】
前記画像出力部は、
前記対象画像を出力する領域である第一領域に、前記画像処理部が処理を施した対象画像を出力する画像出力手段と、
前記画像処理部が処理を施した対象画像のサイズが、画面サイズより小さい場合に、前記第一領域とは異なる領域である第二領域に、前記画像処理部が処理を施した対象画像とは異なる画像を出力する他画像出力手段とを具備する請求項１から請求項３いずれか記載の画像出力装置。
【請求項５】
前記他画像出力手段は、
前記第二領域を分割した２以上の領域に、前記対象画像を用いて構成されるストロボ画像を出力する請求項４記載の画像出力装置。
【請求項６】
データ放送によるデータを受信するデータ放送受信部をさらに具備し、
前記他画像出力手段は、
前記第二領域に、前記データ放送受信部が受信したデータを出力する請求項４記載の画像出力装置。
【請求項７】
２以上の画像を有する映像であり、２以上のチャプターに分割し得る映像である入力映像が格納される入力映像格納部をさらに具備し、
前記入力画像取得部は、
前記入力映像が有する２以上の各入力画像を、前記入力映像格納部から順次取得し、
前記他画像出力手段は、
前記第二領域に、前記入力画像取得部が取得した２以上の入力画像のうち、前記入力映像が有する２以上の各チャプターを代表する入力画像を出力する請求項４記載の画像出力装置。
【請求項８】
記録媒体に、
２以上の画像を有する映像が映像酔いする映像であると判断するための条件である２以上の各映像判断条件が、映像酔いを低減する処理を示す低減処理情報に対応付けて格納されており、
入力画像取得部と、映像判断部と、画像処理部と、画像出力部とを用いて行われる画像出力方法であって、
前記入力画像取得部が、
２以上の入力画像を取得する入力画像取得ステップと、
前記映像判断部が、
前記２以上の入力画像を用いて構成される映像である対象映像が映像酔いする映像であるか否かを、前記映像判断条件を用いて判断する映像判断ステップと、
前記画像処理部が、
前記映像判断部が、前記対象映像が映像酔いする映像であると判断した場合に、対象映像が有する２以上の各画像である対象画像に対して予め決められた映像酔いを低減する処理を施す画像処理ステップと、
前記画像出力部が、
前記対象画像または前記画像処理部が処理を施した対象画像を出力する画像出力ステップとを具備し、
前記画像処理ステップは、
前記映像判断ステップで、対象映像が映像酔いする映像であると判断した際に用いた映像判断条件に対応する低減処理情報を、前記記録媒体から選択する低減処理情報取得サブステップと、
前記対象映像が有する２以上の画像である対象画像に対して、前記低減処理情報取得サブステップで選択された低減処理情報が示す処理を施す画像処理サブステップとを具備する画像出力方法。
【請求項９】
記録媒体は、
２以上の画像を有する映像が映像酔いする映像であると判断するための条件である２以上の各映像判断条件が、映像酔いを低減する処理を示す低減処理情報に対応付けて２以上の画像を有する映像が、映像酔いする映像であると判断するための条件である２以上の映像判断条件が格納される映像判断条件格納部を具備し、
入力画像取得部と、映像判断部と、画像処理部と、画像出力部と、受付部とを用いて行われる画像出力方法であって、
前記入力画像取得部が、
２以上の入力画像を取得する入力画像取得ステップと、
前記映像判断部が、
前記２以上の入力画像を用いて構成される映像である対象映像が映像酔いする映像であるか否かを、前記映像判断条件を用いて判断する映像判断ステップと、
前記画像処理部が、
前記映像判断部が、前記対象映像が映像酔いする映像であると判断した場合に、対象映像が有する２以上の各画像である対象画像に対して予め決められた映像酔いを低減する処理を施す画像処理ステップと、
前記画像出力部が、
前記対象画像または前記画像処理部が処理を施した対象画像を出力する画像出力ステップとを具備し、
前記映像判断条件は、映像酔いする映像を検知する際のモードに関する検知モード条件を有し、
前記モードは、対象画像から取得できる情報により自動的に映像酔いする映像であるか否かを検知するモードである自動検知モード、またはユーザからの指示により映像酔いする映像であるか否かを検知するモードである手動検知モードを含み、
前記２以上の映像判断条件は、ユーザからの指示に関する条件であるユーザ指示条件を含み、
前記受付部が、
ユーザからの指示を受け付ける受付ステップをさらに具備し、
前記映像判断ステップにおいて、
前記検知モード条件が手動検知モードであり、かつ前記受付ステップで受け付けられた指示が、前記ユーザ指示条件に合致する場合に、前記対象映像が映像酔いする映像であると判断する判断ステップを具備する画像出力方法。
【請求項１０】
記録媒体に、
２以上の画像を有する映像が映像酔いする映像であると判断するための条件である２以上の各映像判断条件が、映像酔いを低減する処理を示す低減処理情報に対応付けて格納されており、
コンピュータを、
２以上の入力画像を取得する入力画像取得部と、
前記２以上の入力画像を用いて構成される映像である対象映像が映像酔いする映像であるか否かを、前記映像判断条件を用いて判断する映像判断部と、
前記映像判断部が、前記対象映像が映像酔いする映像であると判断した場合に、対象映像が有する２以上の各画像である対象画像に対して予め決められた映像酔いを低減する処理を施す画像処理部と、
前記対象画像または前記画像処理部が処理を施した対象画像を出力する画像出力部として機能させるためのプログラムであって、
前記画像処理部は、
前記映像判断部が、対象映像が映像酔いする映像であると判断した際に用いた映像判断条件に対応する低減処理情報を、前記記録媒体から選択する低減処理情報取得手段と、
前記対象映像が有する２以上の画像である対象画像に対して、前記低減処理情報取得手段が選択した低減処理情報が示す処理を施す画像処理手段とを具備するものとして、コンピュータを機能させるためのプログラム。
【請求項１１】
記録媒体は、
２以上の画像を有する映像が、映像酔いする映像であると判断するための条件である２以上の映像判断条件が格納される映像判断条件格納部を具備し、
コンピュータを、
２以上の入力画像を取得する入力画像取得部と、
前記２以上の入力画像を用いて構成される映像である対象映像が映像酔いする映像であるか否かを、前記映像判断条件を用いて判断する映像判断部と、
前記映像判断部が、前記対象映像が映像酔いする映像であると判断した場合に、対象映像が有する２以上の各画像である対象画像に対して予め決められた映像酔いを低減する処理を施す画像処理部と、
前記対象画像または前記画像処理部が処理を施した対象画像を出力する画像出力部として機能させ、
前記映像判断条件は、映像酔いする映像を検知する際のモードに関する検知モード条件を有し、
前記モードは、対象画像から取得できる情報により自動的に映像酔いする映像であるか否かを検知するモードである自動検知モード、またはユーザからの指示により映像酔いする映像であるか否かを検知するモードである手動検知モードを含み、
前記２以上の映像判断条件は、ユーザからの指示に関する条件であるユーザ指示条件を含み、
コンピュータを、
ユーザからの指示を受け付ける受付部としてさらに機能させ、
前記映像判断部は、
前記検知モード条件が手動検知モードであり、かつ前記受付部が受け付けた指示が、前記ユーザ指示条件に合致する場合に、前記対象映像が映像酔いする映像であると判断するものとして、コンピュータを機能させるためのプログラム。
【発明の詳細な説明】
【技術分野】
【０００１】
本発明は、画像を出力する画像出力装置等に関するものである。
【背景技術】
【０００２】
従来、出力先となる機器や装置などの条件に応じた適切な解像度の画像を出力する画像出力装置が開発されている（特許文献１参照）。
【０００３】
また、ユーザの映像酔いに対する耐性を評価するための数値を算出する映像酔い耐性評価装置が開発されている（特許文献２参照）。
【先行技術文献】
【特許文献】
【０００４】
【特許文献１】特開２０１１−３５５６１
【特許文献２】特開２０１１−８３３７９
【発明の概要】
【発明が解決しようとする課題】
【０００５】
現在、映像コンテンツは、往々にして２０〜３０インチ程度の放送局モニタにおいて作業・確認が行われ、放送されている。一方で、家庭視聴環境におけるテレビなどのディスプレイは大型化し、一般家庭においても６０インチを超えるものも一般的になってきている。
【０００６】
ここで、送信側のコンテンツと受信側のコンテンツは、当然、同一である。また、コンテンツ内でのオブジェクトの動きや、カメラ動作によるパン・チルトなどの動き量は、単位フレーム当たりの画素数で定義されるものである。従って、画面内の物体が実際に画面上を移動する距離は、画面の大きさに比例して大きくなる。これにより、人間が物体を目で追う距離は、送信側の人間が確認している時よりも、受信側の人間が視聴しているときの方が大きくなり、映像酔いを起こしやすくなるという課題がある。しかしながら、従来の画像出力装置などでは、出力する映像が映像酔いする映像であることを検知し、また、当該映像酔いを低減することができなかった。
【課題を解決するための手段】
【０００７】
本第一の発明の画像出力装置は、２以上の画像を有する映像が、映像酔いする映像であると判断するための条件である１以上の映像判断条件が格納される映像判断条件格納部と、２以上の入力画像を取得する入力画像取得部と、２以上の入力画像を用いて構成される映像である対象映像が映像酔いする映像であるか否かを、映像判断条件を用いて判断する映像判断部と、映像判断部が、対象映像が映像酔いする映像であると判断した場合に、対象映像が有する２以上の各画像である対象画像に対して予め決められた映像酔いを低減する処理を施す画像処理部と、対象画像または画像処理部が処理を施した対象画像を出力する画像出力部とを具備する画像出力装置である。
【０００８】
このような構成により、出力する映像が映像酔いする映像であることを検知し、当該映像酔いを低減することができる。
【０００９】
また、本第二の発明の画像出力装置は、第一の発明に対して、映像判断条件は、一の映像に含まれる被写体の移動量に関する条件である移動量条件であり、映像判断部は、対象映像から、移動量を取得する移動量取得手段と、移動量取得手段が取得した移動量が、１以上の移動量条件に合致するか否かを判断し、合致する場合に、対象映像が映像酔いする映像であると判断する判断手段とを具備する画像出力装置である。
【００１０】
このような構成により、出力する映像が映像酔いする映像であることを、出力する映像中の被写体の移動量により検知することができる。
【００１１】
また、本第三の発明の画像出力装置は、第一の発明に対して、映像判断条件は、ユーザからの指示に関する条件であるユーザ指示条件であり、ユーザからの指示を受け付ける受付部をさらに具備し、映像判断部は、受付部が受け付けた指示が、１以上のユーザ指示条件に合致するか否かを判断し、合致する場合に、対象映像が映像酔いする映像であると判断する判断手段を具備する画像出力装置である。
【００１２】
このような構成により、出力する映像が映像酔いする映像であることを、ユーザからの指示により検知することができる。
【００１３】
また、本第四の発明の画像出力装置は、第二の発明に対して、映像判断条件は、画面サイズと移動量に関する条件である画面サイズ移動量条件であり、映像判断部は画面サイズを示す画面サイズ情報を取得する画面サイズ情報取得手段をさらに具備し、判断手段は、画面サイズ情報取得手段が取得した画面サイズ情報と移動量取得手段が取得した移動量とが、１以上の画面サイズ移動量条件に合致するか否かを判断し、合致する場合に、対象映像が映像酔いする映像であると判断する画像出力装置である。
【００１４】
このような構成により、出力する映像が映像酔いする映像であることを、出力する映像中の被写体の移動量と、画面サイズとにより検知することができる。
【００１５】
また、本第五の発明の画像出力装置は、第二の発明に対して、映像判断条件は、画面からユーザまでの距離と移動量に関する条件であるユーザ距離移動量条件であり、映像判断部は前方のユーザを検知し、ユーザまでの距離を示すユーザ距離情報を取得するユーザ距離情報取得手段をさらに具備し、判断手段は、ユーザ距離情報取得手段が取得したユーザ距離情報と移動量取得手段が取得した移動量とが、１以上のユーザ距離移動量条件に合致するか否かを判断し、合致する場合に、出力映像が映像酔いする映像であると判断する画像出力装置である。
【００１６】
このような構成により、出力する映像が映像酔いする映像であることを、出力する映像中の被写体の移動量と、ユーザまでの距離とにより検知することができる。
【００１７】
また、本第六の発明の画像出力装置は、第一から第五いずれかの発明に対して、画像処理部は、対象画像に対して、対象画像を縮小する縮小処理または対象画像の一部を切り出すトリミング処理のいずれかの処理を施す画像出力装置である。
【００１８】
このような構成により、映像酔いを、出力する画像の縮小または画像のトリミングにより低減することができる。
【００１９】
また、本第七の発明の画像出力装置は、第一から第六いずれかの発明に対して、映像判断条件格納部には、映像酔いを低減する処理を示す低減処理情報が対応付いた映像判断条件が格納され、画像処理部は、映像判断部が、対象映像が映像酔いする映像であると判断した際に用いた映像判断条件に対応する映像処理情報を、映像判断条件格納部から取得する低減処理情報取得手段と、対象映像が有する２以上の画像である対象画像に対して、低減処理情報取得手段が取得した低減処理情報が示す処理を施す画像処理手段とを具備する画像出力装置である。
【００２０】
このような構成により、映像酔いする映像であることを検知したときの映像の特徴に応じて、出力する映像に対して処理を施し、映像酔いを低減することができる。
【００２１】
また、本第八の発明の画像出力装置は、第一から第七いずれかの発明に対して、画像出力部は、対象画像を出力する領域である第一領域に、画像処理部が処理を施した対象画像を出力する画像出力手段と、画像処理部が処理を施した対象画像のサイズが、画面サイズより小さい場合に、第一領域とは異なる領域である第二領域に、画像処理部が処理を施した対象画像とは異なる画像を出力する他画像出力手段とを具備する画像出力装置である。
【００２２】
このような構成により、出力する画像のサイズが画面サイズより小さい場合にできる空き領域を有効に活用できる。
【００２３】
また、本第九の発明の画像出力装置は、第八の発明に対して、他画像出力手段は、第二領域を分割した２以上の領域に、対象画像を用いて構成されるストロボ画像を出力する画像出力装置である。
【００２４】
このような構成により、出力する画像のサイズが画面サイズより小さい場合にできる空き領域を有効に活用できる。
【００２５】
また、本第十の発明の画像出力装置は、第八の発明に対して、データ放送によるデータを受信するデータ放送受信部をさらに具備し、他画像出力手段は、第二領域に、データ放送受信部が受信したデータを出力する画像出力装置である。
【００２６】
このような構成により、出力する画像のサイズが画面サイズより小さい場合にできる空き領域を有効に活用できる。
【００２７】
また、本第十一の発明の画像出力装置は、第八の発明に対して、２以上の画像を有する映像であり、２以上のチャプターに分割し得る映像である入力映像が格納される入力映像格納部をさらに具備し、入力画像取得部は、入力映像が有する２以上の各入力画像を、入力映像格納部から順次取得し、他画像出力手段は、第二領域に、入力画像取得部が取得した２以上の入力画像のうち、入力映像が有する２以上の各チャプターを代表する入力画像を出力する画像出力装置である。
【００２８】
このような構成により、出力する画像のサイズが画面サイズより小さい場合にできる空き領域を有効に活用できる。
【発明の効果】
【００２９】
本発明による画像出力装置等によれば、出力する映像が映像酔いする映像であることを検知し、当該映像酔いを低減することができる。
【図面の簡単な説明】
【００３０】
【図１】実施の形態１における画像出力装置のブロック図
【図２】同画像出力装置１の全体動作について説明するフローチャート
【図３】同映像判断条件の例を示す図
【図４】同映像判断条件の例を示す図
【図５】同出力画像の出力例を示す図
【図６】同出力画像の出力例を示す図
【図７】同出力画像の出力例を示す図
【図８】同出力画像の出力例を示す図
【図９】同出力画像の出力例を示す図
【図１０】同出力画像と他画像の出力例を示す図
【図１１】同出力画像と他画像の出力例を示す図
【図１２】同出力画像と他画像の出力例を示す図
【図１３】同画像出力回路の構成例を示す図
【図１４】上記実施の形態におけるコンピュータシステムの概観図
【図１５】上記実施の形態におけるコンピュータシステムのブロック図
【発明を実施するための形態】
【００３１】
以下、本発明による画像出力装置等の実施形態について図面を参照して説明する。なお、実施の形態において同じ符号を付した構成要素は同様の動作を行うので、再度の説明を省略する場合がある。また、所定の情報が格納され得る格納部等において、当該格納部に情報が記憶される過程は問わないものとする。例えば、記録媒体を介して情報が格納部等で記憶されるようになってもよい。また、通信回線などを介して送信された情報が格納部等で記憶されるようになってもよい。さらに、入力デバイスを介して入力された情報が格納部等で記憶されるようになってもよい。また、本実施の形態において説明する各情報の形式、内容などは、あくまで例示であり、各情報の持つ意味を示すことができれば、形式、内容などは問わない。
【００３２】
（実施の形態１）
本実施の形態において、出力する映像が映像酔いする映像であるか否かを判断し、映像酔いする映像である場合に、当該出力する映像が有する２以上の画像に、映像酔いを低減する処理を施す画像出力装置１について説明する。
【００３３】
なお、本実施の形態における画像出力装置１は、例えば、テレビ受信機や、記録媒体（光ディスクやハードディスク等）の再生機などである。
【００３４】
図１は、本実施の形態における画像出力装置１のブロック図である。画像出力装置１は、入力映像格納部１１、映像判断条件格納部１２、データ放送受信部１３、入力画像取得部１４、受付部１５、映像判断部１６、画像処理部１７、画像出力部１８を備える。また、映像判断部１６は、移動量取得手段１６１、画面サイズ情報取得手段１６２、ユーザ距離情報取得手段１６３、判断手段１６４を備える。また、画像処理部１７は、低減処理情報取得手段１７１、画像処理手段１７２を備える。また、画像出力部１８は、画像出力手段１８１、他画像出力手段１８２を備える。
【００３５】
入力映像格納部１１には、２以上の画像を有する映像である入力映像が格納される。当該画像を、以下、入力画像とする。また、入力映像のデータ形式などは、問わない。また、入力映像は、２以上のチャプターに分割し得る映像であることが好適である。
【００３６】
なお、以下、一の映像のみに言及している場合であっても、当該映像が有する２以上の各画像について言及していることも含む場合があることは、言うまでもない。また、一の画像にのみ言及している場合であっても、当該画像を有する一の映像について言及していることも含む場合があることは、言うまでもない。
【００３７】
映像判断条件格納部１２には、映像判断条件が格納される。映像判断条件とは、映像が、映像酔いする映像であると判断するための条件である。映像判断条件は、例えば、以下の様な条件である。
（１）一の映像に含まれる被写体の移動量に関する条件である移動量条件
（２）画面サイズと、移動量とに関する条件である画面サイズ移動量条件
（３）ユーザ距離と、移動量とに関する条件であるユーザ距離移動用条件
（４）ユーザからの指示に関する条件であるユーザ指示条件
【００３８】
移動量は、通常、いわゆる動きベクトル（ベクトル量）であるが、その他のスカラー量でもよい。また、移動量は、被写体の移動の量（長さ、ピクセル数など）を示すことができれば、内容や形式などは問わない。また、移動量は、単位時間や単位フレームなどの単位量あたりの移動の量であってもよい。なお、一の映像から移動量を算出する方法や手順などは、公知であるので、詳細な説明を省略する。また、移動量の単位は、問わない。移動量の単位は、例えば、「ｐｉｘｅｌ／ｆｒａｍｅ」や、「ｐｉｘｅｌ／ｓｅｃ」、「ｃｍ／ｆｒａｍｅ」、「ｃｍ／ｓｅｃ」などである。また、ユーザからの指示とは、後述の受付部１５がユーザから受け付ける指示である。当該指示の詳細は、後述する。また、画面サイズとは、通常、画像出力装置１が備える画面のサイズ（寸法）であるが、当該画面の解像度（画面解像度）であってもよい。また、ユーザ距離とは、画像出力装置１が備える画面からユーザまでの距離である。
【００３９】
（１）は、移動量が大きい程、映像酔いする映像であることを示す条件である。（１）は、例えば、「移動量が１０ｐｉｘｅｌ／ｆｒａｍｅ以上であること」や、「移動量が１０ｐｉｘｅｌ／ｆｒａｍｅ以上２０ｐｉｘｅｌ／ｆｒａｍｅ未満であること」などである。
【００４０】
また、（２）は、画面サイズが大きい程、かつ移動量が大きい程、映像酔いする映像であることを示す条件である。（２）は、例えば、「画面サイズが５０インチ以上であり、かつ移動量が１０ｐｉｘｅｌ／ｆｒａｍｅ以上であること」や、「画面サイズが（１９２０×１０８０）以上（４０９６×２１６０）未満であり、かつ移動量が１０ｐｉｘｅｌ／ｆｒａｍｅ以上２０ｐｉｘｅｌ／ｆｒａｍｅ未満であること」などである。
【００４１】
また、（３）は、ユーザ距離が近い程、かつ移動量が大きい程、映像酔いする映像であることを示す条件である。（３）は、例えば、「ユーザまでの距離が３ｍ未満であり、かつ移動量が１０ｐｉｘｅｌ／ｆｒａｍｅ以上２０ｐｉｘｅｌ／ｆｒａｍｅ未満であること」や、「ユーザまでの距離が３ｍ以上６ｍ未満であり、かつ移動量が２０ｐｉｘｅｌ／ｆｒａｍｅ以上であること」などである。
【００４２】
また、（４）は、ユーザからの指示が、予め決められた指示であることを示す条件である。（４）は、例えば、「ユーザからの指示が映像酔いを感じたことを通知する指示であること」や、「ユーザからの指示が映像酔いする映像であることを通知する指示であること」、「ユーザからの指示が映像酔いを低減する処理を行うことの指示であること」などである。
【００４３】
また、映像判断条件は、例えば、以下の様な条件であってもよい。
（５）画面サイズと、ユーザ距離と、移動量とに関する条件である画面サイズユーザ距離移動量条件
（６）ユーザからの指示と、画面サイズとに関する条件であるユーザ指示画面サイズ条件
（７）ユーザからの指示と、ユーザ距離とに関する条件であるユーザ指示ユーザ距離条件
（８）ユーザからの指示と、画面サイズと、ユーザ距離とに関する条件であるユーザ指示画面サイズユーザ距離条件
【００４４】
なお、当該（５）〜（８）の条件については、上記の（１）〜（４）と同様であるので、説明を省略する。
【００４５】
また、映像判断条件は、例えば、以下の様な条件であってもよい。
（９）輝度値の変化に関する条件である輝度値変化条件
（１０）映像の表現の方式に関する条件である映像方式条件
【００４６】
（９）は、映像が有する２以上の画像間での輝度値の変化（差）が大きい程、また当該変化が繰り返し起きる回数が多い程、映像酔いする映像であることを示す条件である。（９）は、いわゆるフラッシング映像を検知するための条件でもある。（９）は、例えば、「２つの画像間における輝度値の差が５０以上であり、かつ当該差が３０フレーム以上続くこと」などである。（１０）は、いわゆる３Ｄ映像を検知するための条件である。（１０）は、例えば、「映像が３Ｄ映像であること」などである。
【００４７】
また、映像判断条件は、映像酔いする映像を検知する際のモードに関する検知モード条件を有していてもよい。当該検知モードとは、例えば、対象画像から取得できる情報により自動的に映像酔いする映像であるか否かを検知するモードや、ユーザからの指示により手動的に映像酔いする映像であるか否かを検知するモードなどである。また、検知モード条件は、当該検知モードが、予め決められた検知モードであることを示す条件である。検知モード条件は、例えば、「検知モードが自動検知モードであること」や、「検知モードが手動検知モードであること」などである。
【００４８】
つまり、映像判断条件は、移動量条件、ユーザ指示条件のいずれかと、以下の０以上の条件の組み合わせであればよい。
（ａ）画面サイズに関する条件である画面サイズ条件
（ｂ）ユーザ距離に関する条件であるユーザ距離条件
（ｃ）検知モード条件
【００４９】
なお、映像判断条件は、プログラムであってもよい。この場合、映像判断条件は、通常、プログラムのソースコード中に埋め込まれている。
【００５０】
また、映像判断条件には、通常、映像酔いを低減する処理（以下、映像酔い低減処理）を示す低減処理情報が対応付いている。映像酔い低減処理は、例えば、画像を縮小する縮小処理や、画像の一部を切り出すトリミング処理、画像の輝度値を小さくする輝度抑制処理、ノイズを低減するノイズ低減処理などである。なお、当該処理において、当該縮小処理の際の縮小率や、縮小後の画像のサイズ、トリミング処理の際のトリミング率や、トリミング後の画像のサイズ、トリミングの範囲、輝度抑制処理の際の抑制する割合や、抑制後の輝度値、抑制の範囲などは、予め決められていてもよいし、そうでなくてもよい。
【００５１】
また、低減処理情報は、例えば、当該低減処理を識別する識別子や、当該低減処理を行うプログラム、当該低減処理を行うプログラムの識別子などである。当該プログラムには、いわゆる関数も含まれる。
【００５２】
また、縮小処理を示す場合、低減処理情報は、例えば、縮小処理の際の縮小率や、縮小後の画像のサイズなどを有していてもよい。低減処理情報は、例えば、以下の様な情報である。
（１）７０％のサイズに縮小することを示す「縮小：７０％」
（２）「０．８０」の割合のサイズに縮小することを示す「縮小処理（０．８０）」
（３）「１２８０×７２０」のサイズに縮小することを示す「縮小：１２８０×７２０」
【００５３】
また、また、トリミング処理を示す場合、低減処理情報は、例えば、トリミングの際のトリミング率や、トリミング後の画像のサイズ、トリミングの範囲などを有していてもよい。トリミングの範囲は、通常、画像上の座標で示されるが、特徴量に関する条件で示されてもよい。この場合、低減処理情報は、当該特徴量に関する条件に合致する範囲をトリミングすることを示す。低減処理情報は、例えば、以下の様な情報である。
（１）６０％のサイズで、座標（０，０）からトリミングすることを示す「トリミング：６０％，（０，０）」
（２）「０．７５」の割合のサイズで、座標（１０，２０）」からトリミングすることを示す「切り取り：×０．７５，（１０，２０）」
（３）座標（０，０）から座標（１２８０，７２０）までをトリミングすることを示す「トリミング（（０，０），（１２８０，７２０））」
（４）移動量が「２０ｃｍ／ｆｒａｍｅ」未満である範囲をトリミングすることを示す「トリミング（移動量＜２０ｃｍ／ｆｒａｍｅ）」
【００５４】
また、輝度抑制処理を示す場合、低減処理情報は、例えば、輝度抑制処理の際の抑制する割合や、抑制後の輝度値、抑制の範囲などを有していてもよい。低減処理情報は、例えば、以下の様な情報である。
（１）画像全体の輝度を８０％にすることを示す「輝度：８０％」
（２）画像全体の輝度を「０．７５」の割合にすることを示す「輝度処理（０．７５）」
（３）座標（１００，２００）から座標（５００，６００）までを輝度値「１２８」にすることを示す「輝度（１２８，（１００，２００），（５００，６００）」
【００５５】
また、低減処理情報は、上記の縮小率や、トリミング率、抑制の割合などのパラメータを算出するための計算式であってもよい。当該計算式には、通常、移動量や、画面サイズ情報、ユーザ距離情報などを代入することを示す変数が含まれる。
【００５６】
また、映像判断条件には、低減処理情報の他に、映像酔い低減処理を選択するための条件である低減処理選択条件が対応付いていてもよい。低減処理選択条件は、通常、移動量以外の特徴量に関する条件である。特徴量とは、一の映像の特徴を示す情報である。また、移動量以外の特徴量とは、例えば、画素値や、輝度値、周波数分布、ダイナミックレンジ、時空間相関、ノイズ量などである。また、低減処理選択条件には、画面サイズや、ユーザ距離に関する条件が含まれてもよい。
【００５７】
データ放送受信部１３は、データ放送によるデータを受信する。データ放送受信部１３は、通常、放送を受信する手段で実現される。
【００５８】
入力画像取得部１４は、２以上の入力画像を取得する。当該取得とは、放送による受信や、通信による受信、記録媒体からの読み込みなどである。また、入力画像取得部１４は、入力映像が有する２以上の各入力画像を、入力映像格納部１１から、順次、取得する。また、入力画像取得部１４は、通常、２以上の入力画像を有する入力映像を取得する。
【００５９】
入力画像取得部１４は、通常、放送を受信する手段や、データを読み込む手段などで実現される。
【００６０】
受付部１５は、ユーザからの指示を受け付ける。当該指示は、例えば、映像酔いを感じたことや、映像酔いする映像であることを通知する映像酔い通知指示や、映像酔いを低減する処理を行うことを指示する映像酔い低減指示などである。また、受付部１５は、これらの指示以外の指示を受け付けてもよい。これらの指示以外の指示とは、例えば、電源ＯＮの指示や、電源ＯＦＦの指示、チャンネル変更の指示、音量増減の指示などである。なお、受付部１５が映像酔い通知指示など以外の指示を受け付けた場合、画像出力装置１は、通常、当該受け付けた指示に応じた処理を行う。
【００６１】
また、受け付けとは、いわゆるリモコンや、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００６２】
受付部１５における指示の入力手段は、いわゆるリモコンや、メニュー画面によるものなど、何でもよい。受付部１５は、リモコンなどの入力手段のデバイスドライバーや、メニュー画面の制御ソフトウェアなどで実現され得る。
【００６３】
映像判断部１６は、対象映像が映像酔いする映像であるか否かを、映像判断条件格納部１２に格納されている１以上の映像判断条件を用いて判断する。
【００６４】
対象映像とは、映像酔いする映像であるか否かを判断する対象となる映像であり、２以上の入力画像を用いて構成される映像である。当該「２以上の入力画像を用いて構成される映像」とは、当該２以上の入力画像を有する入力映像、または当該２以上の各入力画像を用いて構成される２以上の出力画像を有する出力映像である。つまり、映像判断部１６は、入力映像、または出力映像について、映像酔いする映像であるか否かを判断する。なお、対象映像は、通常、出力映像であるが、入力映像であってもよい。また、「入力画像を用いて構成される出力画像」とは、通常、入力画像に何らかの処理（以下、出力画像作成処理）が施された画像である。出力画像作成処理とは、通常、画像処理であり、例えば、高解像度化や、ノイズ除去、鮮鋭化、サイズの拡大、サイズの縮小などである。また、当該処理は、これらの効果を得ることができればよく、処理の具体的な方法や手順などは、問わない。また、出力画像に施された出力画像作成処理の内容や回数などは、問わない。例えば、出力画像は、これらの２以上の異なる出力画像作成処理が施された画像であってもよいし、同一の出力画像作成処理が２回以上施された画像であってもよい。
【００６５】
以上より、対象映像は、入力映像、または出力映像である。また、対象映像は、２以上の対象画像を有する。対象映像が入力映像である場合、対象映像は、２以上の入力画像を有する。また、対象映像が出力映像である場合、対象映像は、２以上の出力画像を有する。
【００６６】
なお、出力画像は、通常、図示しない出力画像作成部が作成する。当該出力画像作成部は、通常、入力画像取得部１４が取得した入力画像に対して、出力画像作成処理を施し、出力画像を作成する。また、映像判断部１６は、通常、後述の各手段により、当該判断を行う。
【００６７】
移動量取得手段１６１は、対象映像から、移動量を取得する。ここで、例えば、時間的に連続する２つの画像において、先の画像をＡ（以下、画像Ａ）とし、後の画像をＢ（以下、画像Ｂ）とする。この様な場合において、移動量取得手段１６１は、例えば、まず、画像Ａから被写体を検出する。また、移動量取得手段１６１は、画像Ｂからも同一の被写体を検出する。当該被写体は、例えば、人物や、動物、植物、その他建造物などである。当該画像からの被写体の検出の方法や手順などは、公知であるので、詳細な説明を省略する。また、当該被写体は、画像中の任意の被写体であってもよいし、予め決められた被写体であってもよい。そして、移動量取得手段１６１は、当該検出した被写体が一致するように画像Ａと画像Ｂとを重ね合わせる。そして、移動量取得手段１６１は、当該重ね合わせた画像のずれを、当該２つの画像間における被写体の移動量として取得する。なお、当該ずれは、画像を構成する画素の数（ピクセル、ｐｉｘｅｌ）であってもよいし、物理的な長さ（センチメートル、ｃｍ、ミリメートル、ｍｍ）などであってもよい。また、例えば、当該ずれは、本例の様に、一の画像あたりのずれであってもよいし、予め決められた単位量の画像（例えば、フレーム）あたりのずれであってもよいし、１秒あたりのずれであってもよい。
また、移動量取得手段１６１は、例えば、以上の様な処理により、各画像から２以上の被写体を検知してもよい。また、移動量取得手段１６１は、例えば、以上の様な処理により、２以上の各画像から１以上の被写体を検知してもよい。また、移動量取得手段１６１は、例えば、以上の様な処理により、２以上の被写体ごとに移動量を算出し、当該移動量の平均を取得してもよい。
【００６８】
なお、移動量の取得の方法や手順などは、公知であるので、その他の詳細な説明を省略する。また、移動量取得手段１６１は、通常、２または３の対象画像を有する対象映像から移動量を取得することが好適である。また、移動量取得手段１６１は、例えば、４以上の対象画像を有する対象映像から移動量を取得してもよい。また、移動量取得手段１６１は、出力映像から移動量を取得することが好適である。
【００６９】
画面サイズ情報取得手段１６２は、画面サイズを示す画面サイズ情報を取得する。画面サイズ情報は、通常、任意の記憶領域、または予め決められた記憶領域に格納されている。従って、画面サイズ情報取得手段１６２は、当該記憶領域に格納されている画面サイズ情報を取得する。
【００７０】
ユーザ距離情報取得手段１６３は、画像出力装置１の前方に位置するユーザを検知し、画面から当該ユーザまでの距離を示すユーザ距離情報を取得する。当該距離の計測の方法は問わない。当該距離は、例えば、画面の中心からユーザまでの距離であってもよいし、画面の端（上下左右は問わず）からユーザまでの距離であってもよい。なお、ユーザ距離情報取得手段１６３は、例えば、人物（ユーザ）を赤外線などにより検知する人感センサや、対象物までの距離を計測する距離センサなどの装置から、ユーザ距離情報を取得する。この場合、ユーザ距離情報取得手段１６３は、これらの装置を備えていてもよいし、これらの装置で実現され得てもよい。また、ユーザ距離情報取得手段１６３の処理手順は、通常、ソフトウェアで実現され、当該ソフトウェアはＲＯＭ等の記録媒体に記録されている。
【００７１】
判断手段１６４は、上記の３つの各手段のいずれかが取得した情報、または受付部１５が受け付けた指示が、映像判断条件格納部１２に格納されている１以上の映像判断条件のいずれかに合致するか否かを判断する。そして、合致する場合に、判断手段１６４は、対象映像が映像酔いする映像であると判断する。
【００７２】
また、判断手段１６４は、例えば、以下の様な判断を行う。
（１）移動量取得手段１６１が取得した移動量が、移動量条件に合致するか否かの判断
（２）画面サイズ情報取得手段１６２が取得した画面サイズ情報と移動量取得手段１６１が取得した移動量とが、画面サイズ移動量条件に合致するか否かの判断
（３）ユーザ距離情報取得手段１６３が取得したユーザ距離情報と移動量取得手段１６１が取得した移動量とが、ユーザ距離移動量条件に合致するか否かの判断
（４）受付部１５が受け付けた指示が、ユーザ指示条件に合致するか否かの判断
【００７３】
（１）について、例えば、移動量取得手段１６１が取得した移動量が「５０ｃｍ／ｆｒａｍｅ」であり、移動量条件が「移動量≧４５ｃｍ／ｆｒａｍｅ」である場合、判断手段１６４は、当該移動量が当該移動量条件に合致すると判断する。
【００７４】
また、（２）について、例えば、画面サイズ情報取得手段１６２が取得した画面サイズ情報が「１９２０×１０８０」であり、移動量取得手段１６１が取得した移動量が「１５ｐｉｘｅｌ／ｆｒａｍｅ」であり、画面サイズ移動量条件が「画面サイズ≧（１９２０×１０８０）＆移動量≧１０ｐｉｘｅｌ／ｆｒａｍｅ」である場合、判断手段１６４は、当該画面サイズ情報と移動量情報とが当該画面サイズ移動量条件に合致すると判断する。
【００７５】
また、（３）について、例えば、ユーザ距離情報取得手段１６３が取得したユーザ距離情報が「３ｍ」であり、移動量取得手段１６１が取得した移動量が「１５ｐｉｘｅｌ／ｆｒａｍｅ」であり、画面サイズ移動量条件が「距離≦５ｍ＆移動量≧１０ｐｉｘｅｌ／ｆｒａｍｅ」である場合、判断手段１６４は、当該ユーザ距離情報と移動量情報とが当該ユーザ距離移動量条件に合致すると判断する。
【００７６】
また、（４）について、受付部１５が受け付けた指示が映像酔い通知指示であり、ユーザ指示条件が「ユーザ指示＝（映像酔い通知指示ｏｒ映像酔い低減指示）」である場合、判断手段１６４は、当該ユーザからの指示が当指示条件に合致すると判断する。
【００７７】
なお、上記（１）〜（４）の各条件が、検知モード条件を有している場合、判断手段１６４は、検知モード識別子が、当該検知モード条件に合致するか否かを判断する。当該検知モード識別子とは、検知モードを識別する情報である。また、検知モードは、通常、任意の記憶領域、または予め決められた記憶領域に格納されている。従って、判断手段１６４は、通常、当該記憶領域に格納されている検知モード識別子を取得し、当該検知モード識別子が、検知モード条件に合致するか否かを判断する。例えば、当該検知モード識別子が「自動検知モード」であり、検知モード条件が「検知モード＝自動検知」である場合、判断手段１６４は、当該検知モード識別子が当該検知モード条件に合致すると判断する。
【００７８】
画像処理部１７は、映像判断部１６が、対象映像が映像酔いする映像であると判断した場合に、対象映像が有する２以上の各対象画像に対して、予め決められた映像酔い低減処理を施す。なお、映像判断部１６が判断した対象映像と、画像処理部１７が映像酔い低減処理を施す対象画像を有する対象映像とは、同一であってもよいし、異なっていてもよい。
【００７９】
また、画像処理部１７は、例えば、対象映像に対して、映像酔い低減処理を施してもよい。この場合、画像処理部１７は、例えば、対象映像が有する２以上の各対象画像の各々に対して、順に、映像酔い低減処理を施してもよいし、当該２以上の対象画像のすべてに対して、同時に、映像酔い低減処理を施してもよい。
【００８０】
また、画像処理部１７は、例えば、対象映像が有する２以上の対象画像のうちの一の対象画像に対して映像酔い低減処理を施してもよい。この場合、画像処理部１７は、例えば、当該２以上の対象画像のうちの先頭の対象画像や、中間の対象画像、末尾の対象画像などの一の画像に対して、映像酔い低減処理を施す。
【００８１】
なお、画像処理部１７は、通常、後述の各手段により、対象映像を行う。
【００８２】
低減処理情報取得手段１７１は、映像判断部１６が、対象映像が映像酔いする映像であると判断した際に用いた映像判断条件に対応する映像処理情報を、映像判断条件格納部１２から取得する。当該「対象映像が映像酔いする映像であると判断した際に用いた映像判断条件」とは、つまりは、映像判断部１６が、対象映像が映像酔いする映像であるか否かの判断の際に取得した移動量や、画面サイズ情報、ユーザ距離情報、ユーザ指示などが合致する映像判断条件である。
【００８３】
例えば、移動量取得手段１６１が取得した移動量が「５０ｃｍ／ｆｒａｍｅ」であり、
判断手段１６４が当該移動量に合致すると判断した映像判断条件が「移動量≧４５ｃｍ／ｆｒａｍｅ」であったとする。この場合、低減処理情報取得手段１７１は、当該映像判断条件「移動量≧４５ｃｍ／ｆｒａｍｅ」に対応する映像処理情報を、映像判断条件格納部１２から取得する。また、例えば、映像判断条件格納部１２において、映像判断条件「移動量≧４５ｃｍ／ｆｒａｍｅ」が低減処理情報「縮小：７０％」に対応付いているとする。この場合、低減処理情報取得手段１７１は、当該低減処理情報「縮小：７０％」を取得する。また、例えば、低減処理情報がパラメータを算出するための計算式である場合、低減処理情報取得手段１７１は、当該計算式を取得後、当該計算式が含む変数に、当該変数に対応する数値を代入し、当該パラメータを算出する。
【００８４】
また、例えば、映像判断条件格納部１２に格納されている映像判断条件に、低減処理選択条件が対応付いている場合、低減処理情報取得手段１７１は、対象映像から特徴量を取得し、当該特徴量が合致する低減処理選択条件に対応する低減処理情報を取得してもよい。この場合、低減処理情報取得手段１７１は、例えば、まず、映像判断部１６が、対象映像が映像酔いする映像であると判断した場合に、当該対象映像から、特徴量を取得する。当該特徴量は、通常、移動量以外の特徴量である。そして、低減処理情報取得手段１７１は、当該判断した際に用いた映像判断条件を取得する。そして、低減処理情報取得手段１７１は、当該映像判断条件に対応する低減処理選択条件のうち、取得した特徴量に合致する低減処理選択条件に対応する低減処理情報を、映像判断条件格納部１２から取得する。
【００８５】
例えば、上記の様に、判断手段１６４がユーザからの指示に合致すると判断した映像判断条件が「ユーザ指示＝映像酔い通知指示」であったとする。この場合、低減処理情報取得手段１７１は、当該映像判断条件に対応する低減処理選択条件を取得する。当該低減処理選択条件には、「１９２≦輝度＜２００」が含まれているとする。また、低減処理情報取得手段１７１が対象映像から取得した特徴量が輝度値「１９６」であったとする。この場合、低減処理情報取得手段１７１は、当該輝度値が合致する低減処理選択条件「１９２≦輝度＜２００」を取得する。そして、低減処理情報取得手段１７１は、当該低減処理選択条件「１９２≦輝度＜２００」に対応する低減処理情報を、映像判断条件格納部１２から取得する。
【００８６】
つまり、映像判断条件格納部１２に格納されている映像判断条件に、低減処理選択条件が対応付いている場合、低減処理情報取得手段１７１は、映像判断部１６が、対象映像が映像酔いする映像であると判断した際に用いた映像判断条件と、対象映像から取得した特徴量に合致する低減処理選択条件とに対応する低減処理情報を、映像判断条件格納部１２から取得する。
【００８７】
なお、ユーザは、通常、出力映像を視聴している。従って、対象映像から特徴量を取得するときに手動検知モードである場合（任意の記憶領域、または予め決められた記憶領域に、手動検知モードであることを識別する検知モード識別子が格納されている場合）、低減処理情報取得手段１７１は、通常、出力映像から特徴量を取得する。また、対象映像から特徴量を取得するときに自動検知モードである場合（任意の記憶領域、または予め決められた記憶領域に、自動検知モードであることを識別する検知モード識別子が格納されている場合）、低減処理情報取得手段１７１は、入力映像、出力映像のどちらから特徴量を取得してもよい。この場合、入力映像、出力映像のどちらから特徴量を取得するかは、通常、予め決められていているが、そうでなくてもよい。なお、映像からの特徴量の取得の方法や手順などは、公知であるので、詳細な説明を省略する。
【００８８】
画像処理手段１７２は、対象映像が有する２以上の画像である対象画像に対して、低減処理情報取得手段１７１が取得した低減処理情報が示す処理を施す。例えば、低減処理情報取得手段１７１が低減処理情報「縮小：７０％」を取得した場合、画像処理手段１７２は、当該低減処理情報に従い、対象画像を７０％のサイズに縮小する。また、例えば、低減処理情報取得手段１７１が低減処理情報「トリミング（（０，０），（１２８０，７２０））」を取得した場合、画像処理手段１７２は、当該低減処理情報に従い、対象画像の座標（０，０）から座標（１２８０，７２０）までをトリミングする。また、例えば、低減処理情報取得手段１７１が低減処理情報「輝度（１２８，（１００，２００），（５００，６００）」を取得した場合、画像処理手段１７２は、当該低減処理情報に従い、対象画像の座標（１００，２００）から座標（５００，６００）までの輝度を、「１２８」にする。なお、画像処理手段１７２は、出力映像が有する２以上の出力画像に対して、映像酔い低減処理を施すことが好適である。
【００８９】
また、画像処理手段１７２が対象画像に対して施す映像酔い低減処理は、予め決められていてもよい。この場合、画像処理手段１７２は、低減処理情報取得手段１７１が取得したパラメータを用いて、予め決められた映像酔い低減処理を施す。
【００９０】
画像出力部１８は、対象画像、または画像処理部１７が映像酔い低減処理を施した対象画像を出力する。ここでの出力とは、ディスプレイへの表示、プロジェクターを用いた投影、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。なお、画像出力部１８は、通常、後述の各手段により、対象画像などを出力する。
【００９１】
画像出力手段１８１は、対象画像を出力する。「対象画像を出力する」とは、つまりは、入力画像取得部１４が取得した入力画像を、出力画像生成処理を施さずにそのまま出力すること、または、入力画像取得部１４が取得した入力画像に対して出力画像生成処理を施した出力画像を出力することである。画像出力手段１８１は、通常、出力画像を出力する。また、画像出力手段１８１は、通常、画像出力装置１が備える画面の全領域に（画面いっぱいに）対象画像を出力する。
【００９２】
また、画像出力手段１８１は、画像処理部１７が映像酔い低減処理を施した対象画像を出力する。「映像酔い低減処理を施した対象画像を出力する」とは、つまりは、入力画像取得部１４が取得した入力画像に対して映像酔い低減処理を施した画像を出力すること、または、出力画像に対して映像酔い低減処理を施した画像を出力することである。画像出力手段１８１は、通常、映像酔い低減処理を施した出力画像を出力する。また、画像出力手段１８１は、通常、画像出力装置１が備える画面の全領域のうち、対象画像を出力する領域である第一領域に対象画像を出力する。
【００９３】
なお、第一領域の大きさは、通常、全領域よりも小さいが、同一であってもよい。また、第一領域の大きさは、通常、映像酔い低減処理を施した対象画像のサイズと同一である。つまり、第一領域の大きさは、映像酔い低減処理を施した対象画像のサイズに従う。また、第一領域の位置は、予め決められていてもよいし、そうでなくてもよい。後者の場合、第一領域の位置は、画面のサイズと、映像酔い低減処理を施した対象画像のサイズとから決定（算出）されてもよい。当該決定の方法や手順などは、問わない。
【００９４】
他画像出力手段１８２は、画像処理部１７が映像酔い低減処理を施した対象画像のサイズが、画面サイズより小さい場合に、前記第一領域とは異なる領域である第二領域に、前記画像処理部が処理を施した対象画像とは異なる画像（以下、他画像）を出力する。つまり、他画像出力手段１８２は、画像出力手段１８１が出力している画像のサイズが、画面サイズより小さい場合に、第二領域に、他画像を出力する。
【００９５】
また、他画像とは、例えば、ストロボ画像や、データ放送によるデータ、入力映像が有する２以上の各チャプターを代表する画像などである。ストロボ画像は、画像出力手段１８１が出力している対象画像に、時間的に連続する過去に出力した１以上の出力画像である。また、データ放送によるデータは、データ放送受信部１３が受信したデータである。また、各チャプターを代表する画像は、通常、各チャプターが有する２以上の入力画像のうち、時間的に先頭の入力画像である。
【００９６】
なお、入力映像格納部１１、映像判断条件格納部１２不揮発性の記録媒体が好適であるが、揮発性の記録媒体でも実現可能である。
【００９７】
また、映像判断部１６、移動量取得手段１６１、画面サイズ情報取得手段１６２、判断手段１６４、画像処理部１７、低減処理情報取得手段１７１、画像処理手段１７２は、通常、ＭＰＵやメモリ等から実現され得る。映像判断部１６などの処理手順は、通常、ソフトウェアで実現され、当該ソフトウェアはＲＯＭ等の記録媒体に記録されている。但し、ハードウェア（専用回路）で実現してもよい。
【００９８】
また、画像出力部１８、画像出力手段１８１、他画像出力手段１８２は、ディスプレイなどの出力デバイスを含むと考えてもよいし、含まないと考えてもよい。画像出力部１８などは、出力デバイスのドライバーソフトまたは、出力デバイスのドライバーソフトと出力デバイスなどで実現され得る。
【００９９】
次に、画像出力装置１の全体動作について、図２のフローチャートを用いて説明する。なお、所定の情報におけるｉ番目の情報は、「情報［ｉ］」と記載するものとする。また、図２のフローチャートにおいて、映像判断条件格納部１２には、ｍ個の映像判断条件が格納されているものとする。また、当該各映像判断条件には、低減処理情報が対応付いているものとする。
【０１００】
（ステップＳ２０１）入力画像取得部１４は、入力映像格納部１１に２以上の入力画像が格納されているか否かを判断する。格納されている場合は、ステップＳ２０２に進み、そうでない場合は、ステップＳ２１８に進む。
【０１０１】
（ステップＳ２０２）入力画像取得部１４は、入力映像格納部１１から２以上の入力画像を取得する。
【０１０２】
（ステップＳ２０３）出力画像作成部は、ステップＳ２０２で取得した２以上の各入力画像に対して、出力画像作成処理を施し、２以上の出力画像を作成する。そして、出力画像作成部は、当該２以上の出力画像を用いて出力映像を構成する。
【０１０３】
（ステップＳ２０４）映像判断部１６は、任意の記憶領域に格納されている検出モード識別子を取得する。そして、映像判断部１６は、当該検出モード識別子を用いて、検知モードが自動検知モードであるか否かを判断する。自動検知モードである場合は、ステップＳ２０５に進み、そうでない場合は、ステップＳ２０８に進む。
【０１０４】
（ステップＳ２０５）移動量取得手段１６１は、出力映像から、移動量を取得する。
【０１０５】
（ステップＳ２０６）画面サイズ情報取得手段１６２は、任意の記憶領域に格納されている画面サイズ情報を取得する。
【０１０６】
（ステップＳ２０７）ユーザ距離情報取得手段１６３は、ユーザ距離情報を取得する。
【０１０７】
（ステップＳ２０８）受付部１５は、ユーザからの指示を受け付けたか否かを判断する。受け付けた場合は、ステップＳ２０９に進み、そうでない場合は、ステップＳ２０８に戻る。
【０１０８】
（ステップＳ２０９）判断手段１６４は、ステップＳ２０８で受け付けたユーザ指示を取得する
【０１０９】
（ステップＳ２１０）判断手段１６４は、カウンタｉに１をセットする。
【０１１０】
（ステップＳ２１１）判断手段１６４は、ステップＳ２０５で取得した移動量、ステップＳ２０６で取得した画面サイズ情報、ステップＳ２０７で取得したユーザ距離情報、ステップＳ２０９で取得したユーザ指示のうちのいずれか１以上が、映像判断条件格納部１２に格納されている映像判断条件［ｉ］に合致するか否かを判断する。合致する場合は、ステップＳ２１４に進み、そうでない場合は、ステップＳ２１２に進む。
【０１１１】
（ステップＳ２１２）判断手段１６４は、ｉがｍであるか否かを判断する。ｍである場合は、ステップＳ２０１に戻り、そうでない場合は、ステップＳ２１３に進む。
【０１１２】
（ステップＳ２１３）判断手段１６４は、ｉを１インクリメントし、ステップ２１１に戻る。
【０１１３】
（ステップＳ２１４）低減処理情報取得手段１７１は、映像判断条件［ｉ］に対応する低減処理情報［ｉ］を取得する
【０１１４】
（ステップＳ２１５）画像処理手段１７２は、ステップＳ２１４で取得した低減処理情報［ｉ］に従い、出力画像に対して映像酔い低減処理を施す。
【０１１５】
（ステップＳ２１６）画像出力手段１８１は、ステップＳ２１５で映像酔い低減処理が施された出力画像を出力する。
【０１１６】
（ステップＳ２１７）他画像出力手段１８２は、ステップＳ２１６で出力した画像のサイズが、画面サイズよりも小さいか否かを判断する。小さい場合は、ステップＳ２１８に進み、そうでない場合は、ステップＳ２０１に戻る。
【０１１７】
（ステップＳ２１８）他画像出力手段１８２は、他画像を出力する。
【０１１８】
（ステップＳ２１９）データ放送受信部１３は、データ放送によるデータを受信したか否かを判断する。受信した場合は、ステップＳ２２０に進み、そうでない場合は、ステップＳ２０１に戻る。
【０１１９】
（ステップＳ２２０）データ放送受信部１３は、ステップＳ２１９で受信したデータを、任意の記憶領域に蓄積する。
【０１２０】
なお、図２のフローチャートにおいて、電源オフや処理終了の割り込みにより処理を終了してもよい。
【０１２１】
（具体例）
次に、画像出力装置１の動作の具体例について説明する。なお、本具体例において、画像出力装置１は、テレビ受信機（以下、テレビ）であるものとする。また、テレビの画面サイズは、「５５ｉｎｃｈ」であり、当該画面サイズ情報は、任意の記憶領域に格納されているものとする。
【０１２２】
（例１）
本例において、映像判断条件格納部１２には、図３に示す映像判断条件が格納されているものとする。当該映像判断条件（項目名：条件）は、レコードを一意に特定するためのＩＤ（項目名：ＩＤ）と、低減処理情報（項目名：低減処理）とが対応付いている。
【０１２３】
まず、ユーザがリモコンを操作し、テレビの電源をＯＮにしたとする。すると、図示しない画像受信部が入力画像の受信を開始し、順次、入力映像格納部１１に蓄積する。そして、出力画像作成部は、当該入力映像格納部１１に格納されている入力画像を、順次、取得し、当該入力画像に対して出力画像作成処理を施し、出力画像を作成する。そして、画像出力手段１８１は、当該出力画像を、順次、出力する。このときの様子は、例えば、図５である。
【０１２４】
次に、移動量取得手段１６１は、画像出力手段１８１が出力している２以上の画像を有する出力映像から、移動量を取得する。ここで、移動量取得手段１６１は、例えば、図５の出力画像（出力映像）における被写体である乗り物を検出し、当該乗り物の移動量を算出したとする。そして、移動量取得手段１６１は、当該乗り物の移動量「４５ｃｍ／ｆｒａｍｅ」を取得したものとする。
【０１２５】
次に、画面サイズ情報取得手段１６２は、任意の記憶領域に格納されている画面サイズ情報「５５ｉｎｃｈ」を取得する。
【０１２６】
次に、ユーザ距離情報取得手段１６３は、ユーザ距離情報を取得し、ユーザ距離情報「５ｍ」を取得したものとする。
【０１２７】
次に、判断手段１６４は、移動量取得手段１６１が取得した移動量「４５ｃｍ／ｆｒａｍｅ」、画面サイズ情報取得手段１６２が取得した画面サイズ情報「５５ｉｎｃｈ」、ユーザ距離情報取得手段１６３が取得したユーザ距離情報「５ｍ」のうち、移動量と画面サイズ情報が、図３の「ＩＤ＝０１３」の映像判断条件に合致すると判断する。以上により、映像判断部１６は、画像出力手段１８１が出力中の出力映像が、映像酔いする映像であることを検知する。
【０１２８】
次に、低減処理情報取得手段１７１は、判断手段１６４が、移動量と画面サイズ情報が合致すると判断した図３の「ＩＤ＝０１３」の映像判断条件に対応する低減処理情報「縮小（６０％）」を取得する。当該低減処理情報は、画像のサイズを６０％に縮小することを示す。
【０１２９】
次に、画像処理手段１７２は、低減処理情報取得手段１７１が取得した低減処理情報「縮小（６０％）」に従い、画像出力手段１８１が出力中の出力映像のサイズを、６０％に縮小する。
【０１３０】
次に、画像出力手段１８１は、画像処理手段１７２が縮小した出力画像を出力する。このときの様子は、例えば、図６である。
【０１３１】
（例２）
本例において、映像判断条件格納部１２には、図４に示す映像判断条件が格納されているものとする。当該映像判断条件（項目名：判断条件）は、レコードを一意に特定するためのＩＤ（項目名：ＩＤ）と、低減処理選択条件（項目名：選択条件）と、低減処理情報（項目名：低減処理）とが対応付いている。
【０１３２】
まず、具体例１と同様に、図７の様に、画像出力手段１８１が、順次、出力画像を出力しているとする。
【０１３３】
次に、具体例１と同様に、移動量取得手段１６１、画面サイズ情報取得手段１６２、ユーザ距離情報取得手段１６３は、出力映像から、それぞれ、移動量と、画面サイズ情報と、ユーザ距離情報とを取得し、移動量「３６０ｐｉｘｅｌ／ｓｅｃ」と、画面サイズ情報「５５ｉｎｃｈ」と、ユーザ距離情報「６ｍ」とを取得したものとする。
【０１３４】
次に、判断手段１６４は、移動量取得手段１６１が取得した移動量「３６０ｐｉｘｅｌ／ｓｅｃ」、画面サイズ情報取得手段１６２が取得した画面サイズ情報「５５ｉｎｃｈ」、ユーザ距離情報取得手段１６３が取得したユーザ距離情報「６ｍ」のうち、移動量とユーザ距離情報が、図４の「ＩＤ＝０１６」に合致すると判断する。以上により、映像判断部１６は、画像出力手段１８１が出力中の出力映像が、映像酔いする映像であることを検知する。
【０１３５】
次に、低減処理情報取得手段１７１は、移動量取得手段１６１などが移動量などを取得した出力映像から、特徴量を取得し、例えば、出力映像全体の輝度値「２０４」を取得したものとする。
【０１３６】
次に、低減処理情報取得手段１７１は、判断手段１６４が、移動量とユーザ距離情報が合致すると判断した図４の「ＩＤ＝０１６」の映像判断条件に対応し、取得した輝度値「２０４」が合致する選択条件「２００≦輝度値＜２０８」に対応する「ＩＤ＝０１６」の低減処理情報「トリミング（輝度値＜２００）」を取得する。当該低減処理情報は、画像から輝度値が「２００未満」である範囲をトリミングすることを示す。
【０１３７】
次に、画像処理手段１７２は、低減処理情報取得手段１７１が取得した低減処理情報「トリミング（輝度値＜２００）」に従い、画像出力手段１８１が出力中の出力映像から輝度値が「１９２未満」である範囲をトリミングする。
【０１３８】
次に、画像出力手段１８１は、画像処理手段１７２がトリミングした出力画像を出力する。このときの様子は、例えば、図８である。
【０１３９】
（例３）
本例において、映像判断条件格納部１２には、図３に示す映像判断条件が格納されているものとする。
【０１４０】
まず、具体例１や具体例２と同様に、図５や図７の様に、画像出力手段１８１が、順次、出力画像を出力しているとする。このとき、テレビの検知モードは、手動検知モードであるとする。
【０１４１】
次に、ユーザが、図５や図７の様な映像を視聴中に、映像酔いを感じ、リモコンを操作し、テレビに、映像酔いしたことを通知したとする。このとき、リモコンには、例えば、映像酔いを通知するためのボタンなどが備えられており、ユーザは、当該ボタンを押下することで、テレビに映像酔いしたことを通知する。すると、受付部１５は、映像酔い通知指示を受け付ける。
【０１４２】
次に、判断手段１６４は、受付部１５が受け付けた映像酔い通知指示が、図３の「ＩＤ＝０１９」に合致すると判断する。以上により、映像判断部１６は、画像出力手段１８１が出力中の出力映像が、映像酔いする映像であることを検知する。
【０１４３】
なお、以降の低減処理情報の取得の処理などは、具体例１や具体例２と同様であるので、説明を省略する。
【０１４４】
（例４）
まず、図９の様に、画像出力手段１８１が、縮小処理が施された出力画像を出力しているとする。図９において、出力画像のサイズは、画面サイズより小さく、空き領域がある（図９における黒い領域）。当該領域が、第二領域である。
【０１４５】
次に、他画像出力手段１８２は、図９の第二領域に、他画像を出力する。例えば、ストロボ画像を出力する場合、他画像出力手段１８２は、時間的に連続する過去に出力した１以上の出力画像であるであるストロボ画像を、第二領域に出力する。このときの様子は、例えば、図１０である。
【０１４６】
また、例えば、データ放送によるデータを出力する場合、他画像出力手段１８２は、データ放送受信部１３が受信し、任意の蓄積領域に蓄積したデータを、任意の蓄積領域から取得する。そして、他画像出力手段１８２は、当該取得したデータを、第二領域に出力する。このときの様子は、例えば、図１１である。
【０１４７】
また、例えば、入力画像取得部１４が入力映像格納部１１から順次取得している入力画像を有する入力映像が、２以上のチャプターを有している場合、他画像出力手段１８２は、当該各チャプターが有する２以上の入力画像のうち、時間的に先頭の入力画像を取得する。そして、他画像出力手段１８２は、当該各チャプターごとに取得した先頭の入力画像を、第二領域に出力する。このときの様子は、例えば、図１２である。
【０１４８】
（例５）
図１３は、画像出力装置１を回路で構成した画像出力回路２の例である。当該画像出力回路２は、入力映像から動きベクトルを取得し、当該動きベクトルを用いて入力映像が映像酔いする映像であるか否かを判断し、映像酔いする映像である場合に、入力映像に対して映像酔い低減処理を施し、例えば、映像を出力する回路に出力する。
【０１４９】
図１３において、画像出力回路２は、動きベクトル検出回路２０１、動き量判定回路２０２、倍率計算回路２０３、スケーラー・トリミング回路２０４、子画面生成回路２０５、画面合成回路２０６を備える。
【０１５０】
動きベクトル検出回路２０１は、移動量取得手段１６１に相当する。また、動き量判定回路２０２は、映像判断条件格納部１２と、判断手段１６４とに相当する。また、倍率計算回路２０３は、映像判断条件格納部１２と、低減処理情報取得手段１７１とに相当する。また、スケーラー・トリミング回路２０４は、画像処理手段１７２に相当する。また、子画面生成回路２０５は、他画像出力手段１８２に相当する。また、画面合成回路２０６は、画像出力手段１８１と、他画像出力手段１８２とに相当する。なお、映像判断条件格納部１２は、例えば、図示しないメモリなどの記憶回路であってもよい。
【０１５１】
まず、入力映像を信号化した信号である入力映像信号が、動きベクトル検出回路２０１に入力される。これと同時に、当該入力映像信号は、スケーラー・トリミング回路２０４と、子画面生成回路２０５にも入力される。
【０１５２】
次に、入力映像信号が入力されると、動きベクトル検出回路２０１は、当該入力映像信号から入力映像を取得し、当該入力映像の動きベクトルを取得する。そして、動きベクトル検出回路２０１は、取得した動きベクトルを、動き量判定回路２０２に出力する。
【０１５３】
次に、動きベクトルが入力されると、動き量判定回路２０２は、当該動きベクトルが示す動き量が、映像判断条件に合致するか否かを判断する。当該映像判断条件は、例えば、動き量判定回路２０２とは異なる記憶回路に保存されている。そして、動きベクトルが映像判断条件に合致する場合、動き量判定回路２０２は、動きベクトルを、倍率計算回路２０３に出力する。
【０１５４】
次に、動きベクトルが入力されると、倍率計算回路２０３は、当該動きベクトルから、画像を縮小またはトリミングする際の倍率を計算する。倍率計算回路２０３は、例えば、低減処理情報を用いて、倍率を計算する。この場合、低減処理情報は、通常、動きベクトルから、画像を縮小またはトリミングする際の倍率を算出する計算式である。当該計算式は、例えば、倍率計算回路２０３とは異なる記憶回路に保存されている。そして、倍率計算回路２０３は、算出した倍率を、スケーラー・トリミング回路２０４に出力する。
【０１５５】
次に、倍率が入力されると、スケーラー・トリミング回路２０４は、入力された入力映像信号から入力映像を取得し、当該入力映像が有する２以上の各入力画像を、当該倍率に従って縮小またはトリミングする。そして、スケーラー・トリミング回路２０４は、縮小またはトリミングした入力画像（以下、処理済画像）を、順次、画面合成回路２０６に出力する。
【０１５６】
次に、子画面生成回路２０５は、入力された入力映像信号から入力映像を取得し、当該入力映像が有する２以上の各画像から、第二領域に出力する画像（以下、子画像）を生成する。そして、子画面生成回路２０５は、生成した子画像を、順次、画面合成回路２０６に出力する。
【０１５７】
次に、処理済画像と子画像が入力されると、画面合成回路２０６は、当該２つの画像を合成し、出力する画像（以下、出力用画像）を生成する。当該合成とは、処理済画像を第一領域に、子画像を第二領域に出力するように、一の画像において当該２つの画像を配置することである。そして、画面合成回路２０６は、生成した出力用画像を、例えば、映像出力回路などに出力する。
【０１５８】
なお、本例において、動きベクトル検出回路２０１、スケーラー・トリミング回路２０４、子画面生成回路２０５には、出力映像が信号化された出力信号が入力されてもよい。また、いわゆるデジタル回路やアナログ回路において公知の処理の方法や手順などの説明を省略していることは、言うまでもない。
【０１５９】
以上、本実施の形態による画像出力装置１によれば、出力する映像が映像酔いする映像であることを検知し、当該映像酔いを低減することができる。
【０１６０】
また、本実施の形態による画像出力装置１によれば、出力する映像が映像酔いする映像であることを、出力する映像中の被写体の移動量や、画面サイズ、ユーザまでの距離などにより検知することができる。
【０１６１】
また、本実施の形態による画像出力装置１によれば、映像酔いを、出力する画像の縮小や、画像のトリミングなどの処理により低減することができる。
【０１６２】
また、本実施の形態による画像出力装置１によれば、出力する画像のサイズが画面サイズより小さい場合にできる空き領域を有効に活用できる。
【０１６３】
また、上記各実施の形態において、一の装置に存在する２以上の通信手段は、物理的に一の媒体で実現されてもよいことは言うまでもない。
【０１６４】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０１６５】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１６６】
また、上記各実施の形態における画像出力装置を実現するソフトウェアは、例えば、以下のようなプログラムである。つまり、このプログラムは、記録媒体に、２以上の画像を有する映像が、映像酔いする映像であると判断するための条件である１以上の映像判断条件が格納されており、コンピュータを、２以上の入力画像を取得する入力画像取得部と、前記２以上の入力画像を用いて構成される映像である対象映像が映像酔いする映像であるか否かを、前記映像判断条件を用いて判断する映像判断部と、前記映像判断部が、前記対象映像が映像酔いする映像であると判断した場合に、対象映像が有する２以上の各画像である対象画像に対して予め決められた映像酔いを低減する処理を施す画像処理部と、前記対象画像または前記画像処理部が処理を施した対象画像を出力する画像出力部として機能させるためのプログラムである。
【０１６７】
なお、上記プログラムにおいて、ハードウェアでしか行われない処理は少なくとも含まれない。
【０１６８】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
また、上記プログラムを実行するコンピュータは、単数であってもよいし、複数であってもよい。つまり、集中処理を行ってもよいし、あるいは分散処理を行ってもよい。
【０１６９】
また、図１４は、前述のプログラムを実行して、前述の実施の形態の画像出力装置等を実現するコンピュータシステム９の概観図である。前述の実施の形態は、コンピュータハードウェア及びその上で実行されるコンピュータプログラムで実現され得る。
【０１７０】
図１４において、コンピュータシステム９は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０１１、ＦＤ（Ｆｌｅｘｉｂｌｅ  Ｄｉｓｋ）ドライブ９０１２を含むコンピュータ９０１と、キーボード９０２と、マウス９０３と、モニタ９０４とを備える。
【０１７１】
図１５は、コンピュータシステム９のブロック図である。図１５において、コンピュータ９０１は、ＣＤ−ＲＯＭドライブ９０１１、ＦＤドライブ９０１２に加えて、ＣＰＵ（Ｃｅｎｔｒａｌ  Ｐｒｏｃｅｓｓｉｎｇ  Ｕｎｉｔ）９０１３と、ブートアッププログラム等のプログラムを記憶するためのＲＯＭ（Ｒｅａｄ−Ｏｎｌｙ  Ｍｅｍｏｒｙ）９０１４と、ＣＰＵ９０１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）９０１５と、アプリケーションプログラム、システムプログラム、及びデータを記憶するためのハードディスク９０１６と、ＣＤ−ＲＯＭドライブ９０１１、ＦＤドライブ９０１２、ＣＰＵ９０１３等を相互に接続するバス９０１７とを備える。ここでは図示しないが、コンピュータ９０１は、さらに、ＬＡＮへの接続を提供するネットワークカードを備えていてもよい。
【０１７２】
コンピュータシステム９に、前述の実施の形態の画像出力装置等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０１７３】
プログラムは、コンピュータ９０１に、前述の実施の形態の画像出力装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０１７４】
本発明は、以上の実施の形態に限定されることなく、種々の変更が可能であり、それらも本発明の範囲内に包含されるものであることは言うまでもない。
【産業上の利用可能性】
【０１７５】
以上のように、本発明にかかる画像出力装置は、映像酔いする映像であることを検知し、当該映像酔いを低減することができるという効果を有し、テレビジョン受信機等として有用である。
【符号の説明】
【０１７６】
１  画像出力装置
１１  入力映像格納部
１２  映像判断条件格納部
１３  データ放送受信部
１４  入力画像取得部
１５  受付部
１６  映像判断部
１７  画像処理部
１８  画像出力部
１６１  移動量取得手段
１６２  画面サイズ情報取得手段
１６３  ユーザ距離情報取得手段
１６４  判断手段
１７１  低減処理情報取得手段
１７２  画像処理手段
１８１  画像出力手段
１８２  他画像出力手段
【図１】
0005912706.tif 000002
【図２】
0005912706.tif 000003
【図３】
0005912706.tif 000004
【図４】
0005912706.tif 000005
【図１３】
0005912706.tif 000006
【図１４】
0005912706.tif 000007
【図１５】
0005912706.tif 000008
【図５】
0005912706.tif 000009
【図６】
0005912706.tif 000010
【図７】
0005912706.tif 000011
【図８】
0005912706.tif 000012
【図９】
0005912706.tif 000013
【図１０】
0005912706.tif 000014
【図１１】
0005912706.tif 000015
【図１２】
0005912706.tif 000016